(57)【要約】【課題】  衛生的で、掛け布団としても寝袋としても利用できるほか、椅子に腰掛けた姿勢のとき足元を保温しやすい寝具を提供する。【解決手段】  寝具１は、長方形に広げて掛け布団として使用され得るもので、周囲に止め具（ストロングホック）５が取り付けられている。幅方向の中央部で両側縁部を重ねて上記の止め具５を止め合わせることにより、寝袋状にすることができる。また、長さ方向における上側縁部に、上記の止め具５によって襟掛け３が取り付けられている。【選択図】      図１
0003133251.tif 000002
【実用新案登録請求の範囲】
【請求項１】
長方形に広げて掛け布団として使用できる寝具であって、
周囲に止め具が取り付けられており、幅方向の中央部で両側縁部を重ねて上記の止め具を止め合わせることにより寝袋状にできるようになっているとともに、長さ方向における上側縁部に、上記の止め具によって襟掛けが取り付けられていることを特徴とする寝具。
【請求項２】
上記の襟掛けが、枕の代わりとしても使えるよう、寝具本体と同じかまたはそれより厚手の生地でできていることを特徴とする請求項１に記載の寝具。
【請求項３】
上記の襟掛けを取り付ける止め具の使用数を選択することにより、襟掛けの裾側部分から、襟掛けと寝具本体との間に足先を入れることが可能であることを特徴とする請求項１または２に記載の寝具。
【請求項４】
長さ方向における裾側縁部の止め具が、寝具が寝袋状にされたとき、幅方向の中央付近を止めずに左右の端部付近のみを止め得るように設けられていることを特徴とする請求項３に記載の寝具。
【請求項５】
止め具がストロングホックであることを特徴とする請求項１〜５のいずれかに記載の寝具。
【考案の詳細な説明】
【技術分野】
【０００１】
請求項に係る考案は、平面状のまま掛け布団として使用することができ、また寝袋状にして使用することもできる寝具に関するものである。
【背景技術】
【０００２】
掛け布団のような寝具でありながら周囲に止め具を備えていて、寝袋としても利用できるものとして、例えば、特許文献１の寝具（図４に示すもの）がある。
文献１に記載されている図４の寝具１’は、矩形状の本体部２’のうち、長手方向の一側辺を除く三側辺に、互いに着脱自在に連結されるホック５ａ’・５ｂ’を備えている。ホック５ａ’・５ｂ’を有しない側辺部の一方には、開閉可能なスリット６’が形成されている。
寝具１’を掛け布団として使用するときは、スリット６’を閉じて図４（ａ）のように使用する。寝袋として使用するときは、図４（ｂ）のとおり、本体部２’の長手方向中央で２つに折り畳み、重なった辺をホック５ａ’・５ｂ’で連結する。スリット６’は、顔を露出できるよう、開いたうえでボタン７’にて止めておく。
【特許文献１】特開２０００−１２６０１９号公報
【考案の開示】
【考案が解決しようとする課題】
【０００３】
特許文献１に記載された寝具（図４参照）は、掛け布団の大きさをもつ本体部２’を、長手方向の半分の位置で２つに折って寝袋状態にするため、大人には使用することができない。また、顔を露出させるためのスリット６’をあらかじめ形成しておく必要がある。さらに、掛け布団として使用する場合でも寝袋として使用する場合でも、襟部を覆うカバーがないので、本体部２’が汚れるのを防ぐことができない。
【０００４】
これらの点を考慮し、この出願の考案は、簡単に寝袋として大人も利用できるほか、衛生的である寝具、また、椅子に腰掛けた姿勢等で使うとき足元を保温するのに好都合でもある寝具を提供することを目的とする。
【課題を解決するための手段】
【０００５】
上記のような課題を解決するため、請求項の考案は、長方形に広げて掛け布団として使用できる寝具（毛布、綿毛布、タオルケット、肌掛け布団など）であって、周囲に止め具（ホック、ボタン、ファスナーなど）が取り付けられており、幅方向の中央部で両側縁部を重ねて上記の止め具を止め合わせることにより寝袋状にできるようになっているとともに、長さ方向における上側縁部に、上記の止め具によって襟掛けが取り付けられていることを特徴とする。
【０００６】
このような寝具であれば、普通の寝具として使用（たとえば図１の状態で使用）するとき、顔や首に当たりやすい襟部分に襟掛けがあるので、寝具本体が汚れにくくてよい。また、寝袋状にして（たとえば図２のように）昼寝などのちょっとした休息（ちょっと寝）に利用することが可能である。この場合、幅方向の中央部で両側縁部を重ねることから、長さに変化がなく、したがって大人用のサイズの寝具なら、寝袋としても大人が使用できる。寝袋状にしたとき、襟掛けが頭の下になって枕カバーのような役割を果たし、頭部によって寝具本体が汚れるのを防止できる。襟掛けだけを取り外して洗濯することが容易であるため、衛生的である。折り曲げて使用することもできるので、ソファやリクライニングチェア、車椅子でも利用がしやすい。小さいサイズの寝具を使えば、赤ちゃんのベビーカーでのおくるみとしても利用できる。
そして、この寝具は、既存の寝具に止め具や襟掛けを取り付けるだけでよいので、安価に、かつ容易に製造できる。図４の寝具１’のようなスリット６’を設ける必要もない。毛布のほかに、綿毛布やタオルケット、肌掛け布団を用いてもよい。
【０００７】
請求項２に記載の寝具は、上記の襟掛けが、枕の代わりとしても使えるよう寝具本体と同じかまたはそれより厚手の生地でできていることを特徴とする。
このような寝具であれば、畳や絨毯等の上で休む場合、襟掛けが枕の代わりになるのでわざわざ枕を用意する必要がなく、便利である。
【０００８】
請求項３に記載の寝具は、上記の襟掛けを取り付ける止め具の使用数を選択する（たとえば両端の止め具のみを止めて中央付近の止め具を外しておく）ことにより、襟掛けの裾側部分から、襟掛けと寝具本体との間に足先を入れ得ることを特徴とする。
このような構成の寝具であれば、上・下（長さ方向における上側縁部と裾側縁部）を反対にして、足の側に位置するようにした襟掛けと寝具本体との間に足先を入れる（たとえば図３のようにする）ことができるので、足元が暖かくてよい。足を入れる部分の襟掛けの長さは、３０ｃｍ程度以下では短く、５０ｃｍ以上では寝具を畳みにくくなるので、３０〜５０ｃｍ程度とするのが好ましい。
【０００９】
請求項４に記載の寝具は、長さ方向における裾側縁部（襟掛けを取り付ける側とは反対側の縁部）の止め具が、寝具が寝袋状にされたとき、幅方向の中央付近を止めずに左右の端部付近のみを止め得るように配置されていることを特徴とする。
このような寝具であれば、上述のように上下を逆さにして使用するとき（図３参照）、利用者の首まわりの止め具を止めないで、しかも両肩部分が露出しないように左右の端部付近のみを止め合せることができる。そうすると、保温性がよいうえ、椅子等で利用するときにも身体から寝具がずれ落ちるのを防止できる。
【００１０】
請求項５に記載の寝具は、止め具がストロングホック（布地に打って取り付ける金具状の大きなスナップ）であることを特徴とする。
このような寝具であれば、ストロングホックで止めるという簡単な方法で、寝袋状態にすることができる。また、ストロングホックは取り付けが容易なので、寝具を安価に製造できる。
【考案の効果】
【００１１】
請求項１に記載の寝具は、広げたまま掛けて使えるとともに寝袋としても利用できるうえ、取り外しの容易な襟掛けを備えるため清潔さを保ちやすい。寝袋として大人も使用できる、安価に製造できる、といった利点もある。
請求項２に記載の寝具は、襟掛けを枕の代わりに使うことができ、便利である。
請求項３に記載の寝具は、特に足元を暖かく保ちながら使用することができる。
請求項４に記載の寝具は、上下反対にして寝袋状で使用するとき、肩を保温するのに好都合である。
請求項５に記載の寝具は、取り扱いが容易であるうえ安価に製造できる。
【考案を実施するための最良の形態】
【００１２】
考案の最良の形態としての寝具（ちょっと寝毛布）について、図１〜図３に基づき説明する。
図１は、寝具１を広げた状態を示す平面図であり、図２は、寝袋状にした寝具１の平面図である。各図における左右が寝具１の幅方向に、上下が長さ方向に相当し、図中の下方が裾部（裾側）である。
【００１３】
寝具１は、幅約１５０ｃｍ、長さ約２００ｃｍの大きさで、図１に示すように、寝具本体２と襟掛け３とからなる。寝具本体２の生地は、ふかふか感があって肌触りが良い厚手のアクリル毛布を用いているが、ウール毛布、綿毛布、タオルケットあるいは肌掛け布団であってもよい。
【００１４】
寝具本体２の周囲に、幅Ａが４〜５ｃｍの額縁４を設け、両側部の額縁４ａおよび裾部の額縁４ｂにストロングホック５を取り付けている。両側部のストロングホック５ａは、左右が対になって止め合わせられるように７組配置していて、両側部の額縁４ａを中央で重ね合わせたとき、図２のように止め合わせて寝具１を筒状にすることができる。裾部に５組のストロングホック５ｂを取り付けていて、裾部額縁４ｂを５ヵ所で止め合わせることができる。
【００１５】
襟掛け３は寝具本体２と同生地で、幅Ｂが約６０ｃｍ、長さが約４５ｃｍ（うち裏側の長さＣは約４０ｃｍ）の大きさを有する。長さ方向の一端３ａは、寝具本体２の表側（外側）における襟部の額縁４ｃに４組のストロングホック５ｃで止め付けている。襟掛け３の長さ方向の他端３ｂは、寝具本体２の裏側（体に触れる側）において、寝具本体２にやはり４組のストロングホック５ｄで止め付けている。
【００１６】
以下に、寝具１の使い方を説明する。
寝具１は、図１のように広げた状態では普通の掛け毛布として使用できる。顔や首の当たる部分に襟掛け３があるので、寝具本体２が汚れにくい。襟掛け３は、洗濯するときはストロングホック５ｃ・５ｄを外すだけで寝具本体２から分離できる。洗濯後に再び取り付けるのも、ストロングホック５ｃ・５ｄを止めるだけでよいので簡単である。
【００１７】
図２のように、左右両側部のストロングホック５ａと裾部のストロングホック５ｂをそれぞれ止め合せると、寝袋として利用できる。両側部のストロングホック５ａのうち一番上（襟部）のホックは、顔が出せるように開けておいてもよい。寝袋状になった寝具１の中で横になると、襟掛け３が頭の位置にきて枕の代わりになる。したがって、昼寝などのちょっとした休憩で横になりたいときに、敷き布団や枕を用意する必要がなくて便利である。
【００１８】
椅子に座ったとき等に寝具１を使用するときは、図３のように、寝袋状にした寝具１の上下を逆さにし、襟掛け３の裾側（図３では上側）３ｂから寝具本体２との間に足を入れることができる。このとき、４組のストロングホック５ｄのうち中央寄りにあるホックを外すと、足を出し入れしやすくなる。足の前面が寝具本体２と襟掛け３とで二重に覆われるので、保温性がよい。
【００１９】
また、寝具本体２の裾側（図３では上側）における額縁４ｂの５組のストロングホック５ｂは、使用者の首周りに合わせて、止めるか外すかを選択し調節する。少なくとも外寄りの２組のホックを止めれば、肩部の保温になるうえ、寝具１が下方へずれ落ちるのを防止できる。
【００２０】
この寝具は、既存の毛布または毛布生地に市販のストロングホックを打ち付けることにより製作できるので、安価に、かつ簡単に製造できる。
【００２１】
なお、寝具本体、額縁、襟掛けのサイズは、上記の数値に限られるものではない。ストロングホックの個数も、外気が入りにくい間隔であればよく、上記に限定されるものではない。小さいサイズの寝具に、同様の襟掛けと適当な個数のストロングホックを設け、ベビーカー用として利用することもできる。ストロングホックの代わりに、ボタンやスナップボタン、ファスナー、面ファスナー等の止め具を用いることも考えられる。
【図面の簡単な説明】
【００２２】
【図１】考案の一実施形態である寝具１について、広げた状態を示す平面図である。
【図２】寝具１を寝袋状に変形させた状態を示す平面図である。
【図３】椅子に座った姿勢で寝具１を使用する状態を示す斜視図である。
【図４】従来例である寝具１’の平面図であって、図４(ａ)は掛け布団として使用している状態を、同(ｂ)は寝袋として使用している状態をそれぞれ示す。
【符号の説明】
【００２３】
１  寝具
２  寝具本体
３  襟掛け
４  額縁
５  ストロングホック
【図１】
0003133251.tif 000003
【図２】
0003133251.tif 000004
【図３】
0003133251.tif 000005
【図４】
0003133251.tif 000006